(57)【要約】  回路遮断器を制御するためのデジタル回路遮断器コントローラ（４００）が提供される。デジタル回路遮断器コントローラ（４００）は、回路遮断器のインターロック機能、構成、信号伝達、および、制御機能を処理するように構成されるプログラミングロジックを含む。回路遮断器は、動作機構を有し、デジタル回路遮断器コントローラ（４００）は、回路遮断器動作機構と統合される。デジタル回路遮断器コントローラ（４００）は、変電所保護および制御システムへの通信インターフェイス（２０７）を含む。
2021528036.tif 000002
【特許請求の範囲】
【請求項１】
回路遮断器（２００）を制御するためのデジタル回路遮断器コントローラ（４００）であって、前記デジタル回路遮断器コントローラ（４００）は、
前記回路遮断器（２００）のインターロック機能、構成、信号伝達、および、制御機能を処理するように構成されるプログラミングロジックを含み、
前記回路遮断器（２００）は、動作機構（２１１）を有し、前記デジタル回路遮断器コントローラ（４００）は、前記回路遮断器動作機構（２１１）と統合されており、
前記デジタル回路遮断器コントローラ（４００）は、変電所保護および制御システム（１１０）への通信インターフェイス（２０７）を含む、デジタル回路遮断器コントローラ（４００）。
【請求項２】
前記回路遮断器およびその動作機構（２１１）のセンサから信号およびデータを収集するようにさらに構成される、請求項１に記載のデジタル回路遮断器コントローラ（４００）。
【請求項３】
収集された前記信号およびデータを前記変電所保護および制御システム（１１０）に提供するようにさらに構成される、請求項２に記載のデジタル回路遮断器コントローラ（４００）。
【請求項４】
前記保護および制御システム（１１０）からトリップおよびクローズ信号を受け取り、インターロック制約をチェックし、かつ、前記動作機構（２１１）のトリップ／クローズコイルに電力を印加することによってトリップおよびクローズ動作を実行するようにさらに構成される、請求項１に記載のデジタル回路遮断器コントローラ（４００）。
【請求項５】
前記動作機構（２１１）は、油圧構成要素、ばね構成要素、モータ、および、キャパシタバンクのうちの少なくとも１つを含む、請求項１に記載のデジタル回路遮断器コントローラ（４００）。
【請求項６】
前記変電所保護制御システム（１１０）への前記通信インターフェイス（２０７）は、光学ＩＥＣ６１８５０インターフェイスである、請求項１に記載のデジタル回路遮断器コントローラ（４００）。
【請求項７】
前記デジタル回路遮断器コントローラ（４００）は、前記光学ＩＥＣ６１８５０インターフェイスからシステム電圧および電流値のようなデータを読み出すように構成される、請求項６に記載のデジタル回路遮断器コントローラ（４００）。
【請求項８】
前記デジタル回路遮断器コントローラ（４００）は、システム電圧および電流値のような、前記光学ＩＥＣ６１８５０インターフェイスからの入力を使用して、ポイントオブウェーブスイッチングを実行するように構成される、請求項６に記載のデジタル回路遮断器コントローラ（４００）。
【請求項９】
前記回路遮断器（２００）および前記動作機構（２１１）について状態およびメンテナンスの必要性を決定するようにさらに構成される、請求項１に記載のデジタル回路遮断器コントローラ（４００）。
【請求項１０】
前記デジタル回路遮断器コントローラ（４００）は、ケーブルハーネス（２１２）を介して前記回路遮断器機構（２１１）の構成要素に結合される、請求項１に記載のデジタル回路遮断器コントローラ（４００）。
【請求項１１】
前記デジタル回路遮断器コントローラ（４００）が前記ケーブルハーネス（２１２）を介して接続される前記構成要素は、トリップコイル（２０１）、クローズコイル（２０２）、チャージモータ（２０３）、位置センサ（２０４）、ばねチャージセンサ（２０５）、および、インクリメンタルトラベルトランスデューサである、請求項１０に記載のデジタル回路遮断器コントローラ（４００）。
【請求項１２】
前記デジタル回路遮断器コントローラ（４００）は、ローカル動作パネル（２０９）への通信インターフェイス（２１０）を有し、かつ、前記ローカル動作パネル（２０９）にデータを提供するとともに前記ローカル動作パネル（２０９）から命令を受け取るように構成される、請求項１に記載のデジタル回路遮断器コントローラ（４００）。
【請求項１３】
回路遮断器コントローラ機能を監督するようにさらに構成され、かつ、前記デジタル回路遮断器コントローラ（４００）において内部故障が検出される場合に、前記通信インターフェイス（２０７）に警告および警報を信号伝達するようにさらに構成される、請求項１に記載のデジタル回路遮断器コントローラ（４００）。
【請求項１４】
前記デジタル回路遮断器コントローラ（４００）は、前記警告および前記警報を前記ローカル動作パネル（２０９）に信号伝達するようにさらに構成される、請求項１２および１３の組み合わせに記載のデジタル回路遮断器コントローラ（４００）。
【請求項１５】
前記回路遮断器（２００）は、高電圧回路遮断器（２００）である、請求項１に記載のデジタル回路遮断器コントローラ（４００）。
【請求項１６】
先行する請求項のいずれかに記載の少なくとも１つのデジタル回路遮断器コントローラ（４００）を含む、制御システム（３００）。
【請求項１７】
前記デジタル回路遮断器コントローラ（４００）は、ケーブルハーネス（２１２）を介して前記回路遮断器機構の構成要素に結合され、前記制御システム（３００）は、前記ケーブルハーネス（２１２）をさらに含む、請求項１６に記載のシステム。
【請求項１８】
前記デジタル回路遮断器コントローラ（４００）は、ローカル動作パネル（２０９）への通信インターフェイス（２１０）を有し、かつ、前記ローカル動作パネル（２０９）にデータを提供するとともに前記ローカル動作パネル（２０９）から命令を受け取るように構成され、前記制御システム（３００）は、前記ローカル動作パネル（２０９）をさらに含む、請求項１６または１７に記載の制御システム（３００）。
【請求項１９】
前記回路遮断器（２００）をさらに含む、請求項１６〜１８のいずれかに記載の制御システム（３００）。
【発明の詳細な説明】
【技術分野】
【０００１】
技術分野
本明細書において提示される実施形態は、回路遮断器を制御するための方法、デジタル回路遮断器コントローラ、コンピュータプログラム、および、コンピュータプログラム製品に関する。
【背景技術】
【０００２】
背景
現在、回路遮断器動作機構の設計のために、制御および信号伝達の両方が、最も一般的には、１１０ＶＤＣから２２０ＶＤＣ（ＶＤＣは、直流の電圧（Volts of Direct Current）の短縮形）のオーダーの動作電圧を必要とする電気機械構成要素を使用して扱われている。電気機械構成要素の例としては、スイッチ、リレー、時間リレーなどが挙げられる。電気機械構成要素は、回路遮断器動作機構が配置されるキュービクルにおいて端子ブロックに配線される。各顧客のための機能の仕様を満たすために、動作機構のいくつかの異なる顧客固有の内部配線構成が存在し得る。したがって、顧客は、変電所保護および制御システムとのポイントツーポイントケーブル通信を促進するために、その顧客固有の内部配線構成に従って、複数のケーブルを端子ブロックに接続する必要がある。変電所保護および制御室における異なるインテリジェント電子装置（ＩＥＤ: Intelligent Electronical Device）間の通信は、デジタルであり得、たとえばＩＥＣ６１８５０プロトコルを使用し得る。
【０００３】
図１は、１つのベイ１４０を有する変電所のための制御システム１００の図である。保護および制御ＩＥＤ１２０は、変電所保護および制御室に配置され、変電所保護および制御システム１１０を規定しており、ステーションバスを介して互いに通信する。ベイは、１つの回路遮断器（ＣＢ: circuit breaker）１８０および１つの非従来型電流変換器（ＮＣＣＴ: Non-Conventional Current Transformer）１９０を有する。非従来型電流変換器１９０は、ＩＥＣ６１８５０プロトコル（特にＩＥＣ６１８５０パート９−２）に従って、電流データを変電所保護および制御システム１１０に直接的に送達する。ベイキュービクル１５０に配置された別個のＩＥＤ１６０は、回路遮断器へのインターフェイスとして作用する。当該別個のＩＥＤ１６０は、電気ケーブル１７０を介して信号を光学信号に変換し、その後、当該信号をＩＥＣ６１８５０プロセスバスを介して制御室に転送するように構成される。回路遮断器からＩＥＤへの配線は、ポイントツーポイント銅ケーブルタイプの配線であり、これによりＩＥＤは回路遮断器の動作機構における端子ブロックに配線される。さらに、回路遮断器の配線は、インターロックおよび制御のための電気機械構成要素の使用に基づく。
【発明の概要】
【課題を解決するための手段】
【０００４】
上記に鑑みて、回路遮断器の制御を改善する必要性が依然として存在する。
概要
本明細書における実施形態の目的は、回路遮断器の効率的な制御を提供することである。
【０００５】
第１の局面によれば、回路遮断器を制御するためのデジタル回路遮断器コントローラが提供される。デジタル回路遮断器コントローラは、回路遮断器のインターロック機能、構成、信号伝達、および、制御機能を扱うように構成されるプログラミングロジックを含む。回路遮断器は、動作機構を有し、デジタル回路遮断器コントローラは、回路遮断器動作機構と統合される。デジタル回路遮断器コントローラは、変電所保護および制御システムへの通信インターフェイスを含む。
【０００６】
有利なことに、このデジタル回路遮断器コントローラは、回路遮断器の効率的な制御を提供する。
【０００７】
有利なことに、デジタル回路遮断器コントローラを回路遮断器と統合することにより、動作機構の銅ケーブル配線の量を最小化する可能性が可能になる。
【０００８】
有利なことに、デジタル回路遮断器コントローラを回路遮断器と統合することにより、デジタル回路遮断器コントローラへの異なる入力信号に対して比較的低い電圧（たとえば２４Ｖまたは４８Ｖ）のセンサを使用することが可能になる。
【０００９】
有利なことに、このデジタル回路遮断器コントローラは、すべての顧客固有の機能がデジタル回路遮断器コントローラのソフトウェア構成により設定され得るので、動作機構の標準化された（たとえば、ケーブルハーネスによって規定されるような）物理的配線を有することが可能になる。
【００１０】
第２の局面によれば、制御システムが提供される。制御システムは、第１の局面に従った少なくとも１つのデジタル回路遮断器コントローラを含む。
【００１１】
第３の局面によれば、回路遮断器を制御するためのコンピュータプログラムが提供される。当該コンピュータプログラムは、コンピュータプログラムコードを含み、当該コンピュータプログラムコードは、第１の局面に従ったデジタル回路遮断器コントローラ上で実行されると、デジタル回路遮断器コントローラに、回路遮断器のインターロック機能、構成、信号伝達、および、制御機能を処理させる。
【００１２】
第４の局面によれば、第３の局面に従ったコンピュータプログラムと、コンピュータプログラムが格納されるコンピュータ読取可能記憶媒体とを含むコンピュータプログラム製品が提供される。コンピュータ読取可能記憶媒体は、一時的でないコンピュータ読取可能記憶媒体であり得る。
【００１３】
添付された実施形態の他の目的、特徴、および利点は、以下の詳細な説明、添付の従属請求項、および、図面から明らかとなるであろう。
【００１４】
一般的に、請求の範囲において使用されるすべての用語は、本明細書において別の態様で明示的に定義されない限り、当該技術分野におけるそれらの通常の意味に従って解釈されるべきである。「ある／その要素、装置、構成要素、手段、モジュール、ステップなど」へのすべての参照は、別の態様で明示的に述べられない限り、その要素、装置、構成要素、手段、モジュール、ステップなどのうちの少なくとも１つの例を指していると広義に解釈されるべきである。本明細書に開示される任意の方法のステップは、明示的に述べられない限り、開示される正確な順序で実行される必要はない。
【００１５】
ここで、添付の図面を参照して、例として発明の概念が記載される。
【図面の簡単な説明】
【００１６】
【図１】変電所制御システムの概略図である。
【図２】実施形態に従った回路遮断器動作機構の部分を概略的に示す図である。
【図３】実施形態に従った制御システムの概略図である。
【図４】実施形態に従ったデジタル回路遮断器コントローラの機能ユニットを示す概略図である。
【図５】実施形態に従ったコンピュータ読取可能記憶媒体を含むコンピュータプログラム製品の一例を示す図である。
【発明を実施するための形態】
【００１７】
詳細な説明
ここで、発明の概念のある実施形態が示される添付の図面を参照して、発明の概念が以下により詳細に記載される。しかしながら、この発明の概念は、多くの異なる形態で具現化されてもよく、本明細書に記載される実施形態に限定されると解釈されるべきではない。むしろ、これらの実施形態は、本開示が詳細かつ完全であり、発明の概念の範囲を当業者に詳細に伝えるように、例として提供される。記載全体を通じて、同様の番号は同様の要素を指す。破線によって示される任意のステップまたは特徴は、随意のものと見なされるべきである。
【００１８】
上で開示されるように、回路遮断器をデジタル制御するために、ＩＥＤは、回路遮断器の近くの別個のキュービクル内に配置され得る。変電所保護および制御室からこのＩＥＤへの通信は、たとえばＩＥＣ６１８５０プロトコルを使用して、光学的であり得る。しかしながら、このＩＥＤから回路遮断器への配線は従来、従来のポイントツーポイント銅ケーブルタイプの配線であり、回路遮断器の動作機構における端子ブロックに配線される。さらに、配線は、従来、インターロックおよび制御のための従来の電気機械構成要素に基づく。カスタマイズされたコンポーネントおよび配線が、異なる用途のために必要とされ、かつ、特定の顧客仕様を満たすために必要とされる。
【００１９】
ポイントツーポイント銅ケーブル配線および従来の電気機械構成要素の使用と、カスタマイズされた構成要素および配線の必要性とにより、回路遮断器を制御するためのそのような構成は、粗大であり、エラーが発生しやすく、維持およびカスタマイズが煩雑である。
【００２０】
したがって、回路遮断器を制御するための新しいタイプのデジタル回路遮断器コントローラが開示される。
【００２１】
開示されるデジタル回路遮断器コントローラは、プログラミングロジックを含む。プログラミングロジックは、回路遮断器のインターロック機能、構成、信号伝達、および、制御機能を処理するように構成される。
【００２２】
このようなデジタル回路遮断器コントローラは、回路遮断器動作機構の電気回路の簡略化を可能にし、動作機構におけるポイントツーポイント接続の量の最小化を可能にし、動作機構に必要とされるリレーおよびコネクタなどの電気機械構成要素の数の低減を可能にする。
【００２３】
回路遮断器は動作機構を有し、デジタル回路遮断器コントローラは回路遮断器動作機構と統合される。
【００２４】
デジタル回路遮断器コントローラを回路遮断器動作機構と統合することにより、デジタル回路遮断器コントローラが動作機構と同じキュービクル内に配置されることが可能になる。
【００２５】
デジタル回路遮断器コントローラを回路遮断器の動作機構内に配置することによってさらに、動作機構の銅ケーブル配線の量を最小化する可能性が可能になり、さらに、デジタル回路遮断器コントローラへの異なる入力信号に対してよりシンプルな２４Ｖまたは４８Ｖセンサを使用することが可能になる。センサおよび配線は標準化され得、すべての顧客固有のカスタマイゼーションは、デジタル回路遮断器コントローラのソフトウェア構成に移される。
【００２６】
デジタル回路遮断器コントローラを回路遮断器の動作機構内に配置することによってさらに、デジタル回路遮断器コントローラは、電磁干渉に対して良好な保護を有することになる。
【００２７】
プログラミングロジックが処理するように構成される回路遮断器の信号伝達の一例は、回路遮断器と変電所保護および制御システムとの間の信号伝達である。したがって、デジタル回路遮断器コントローラは、変電所保護および制御システムへの通信インターフェイスをさらに含む。このような通信インターフェイスの例が以下に開示される。回路遮断器の信号伝達は、この通信インターフェイスを介して通信され得る。
【００２８】
ここで、デジタル回路遮断器コントローラのさらなる詳細に関する実施形態が開示される。
【００２９】
図２は、回路遮断器２００の回路遮断器機構２１１の部分の概略図である。
異なるタイプの動作機構２１１が存在し得る。いくつかの局面によれば、動作機構２１１は、油圧構成要素、ばね構成要素、モータ、および／または、キャパシタバンクを含む。図２の例示的な回路遮断器機構は、トリップコイル２０１、クローズコイル２０２、チャージモータ２０３、位置センサ２０４、ばねチャージセンサ２０５、および、電源２０６を含む。
【００３０】
デジタル回路遮断器コントローラ４００は、変電所保護および制御システム１１０への通信インターフェイス２０７を含む。デジタル遮断器コントローラ４００は、回路遮断器機構２１１と統合される。したがって、提案されるデジタル回路遮断器コントローラ４００は、回路遮断器動作機構２１１の統合された部分を形成し得る。これにより、デジタル回路遮断器コントローラ４００は、電気機械的インターロック構成要素および配線をトランスデューサに置換し、動作機構における電気構成要素の数を制限する。回路遮断器インターロック機能および制御機能は、統合されたデジタル回路遮断器コントローラ４００のプログラミングロジックの構成可能な設定によって処理される。
【００３１】
デジタル回路遮断器コントローラ４００を回路遮断器２００の動作機構２１１内に配置することによって、動作機構２１１の配線のための今日の実質的な製造時間を最小化するために、クイックフィットコネクタを有する予め作製されたワイヤーハーネスを有することが可能になる。したがって、いくつかの局面によれば、デジタル回路遮断器コントローラ４００は、（参照符号２１２に概略的に示すように）ケーブルハーネスを介して回路遮断器機構２１１の構成要素に結合される。いくつかの局面によれば、デジタル回路遮断器コントローラ４００がケーブルハーネス２１２を介して接続される構成要素は、トリップコイル２０１、クローズコイル２０２、チャージモータ２０３、位置センサ２０４、ばねチャージセンサ２０５、および／または、インクリメンタルトラベルトランスデューサである。当業者が理解するように、たとえば圧力センサ、温度センサなど（これらに限定されない）のような他のタイプの構成要素が、たとえば、デジタル回路遮断器コントローラ４００によって実行されるカスタマイゼーションおよびアプリケーションに依存して、ケーブルハーネス２１２を介してデジタル回路遮断器コントローラ４００に接続され得る。
【００３２】
デジタル回路遮断器コントローラ４００は、変電所保護および制御システム１１０への通信インターフェイス２０７以外の通信インターフェイスを有し得る。いくつかの局面によれば、デジタル回路遮断器コントローラ４００は、ローカル動作パネル２０９への通信インターフェイス２１０を有する。デジタル回路遮断器コントローラ４００は、ローカル動作パネル２０９にデータを提供するとともにローカル動作パネル２０９から命令を受け取るように構成される。ローカル動作パネル２０９は、ヒューマンマシンインターフェイス（ＨＭＩ: human machine interface）を定義するものと見なされ得る。これにより、収集されたデータは、通信インターフェイス２０７およびローカル動作パネル２０９を介して、利用可能にされ得る。収集されたデータは、状態監視機能のために使用され得る。ローカル動作パネル２０９は、デジタル動作パネルであり得る。
【００３３】
いくつかの局面では、デジタル回路遮断器コントローラ４００は、内部故障を検出および報告するように構成される。特に、実施形態によれば、デジタル回路遮断器コントローラ４００は、回路遮断器コントローラ機能を監督するように構成され、かつ、デジタル回路遮断器コントローラ４００において内部故障が検出された場合に、通信インターフェイス２０７に警告および警報を信号伝達するように構成される。いくつかの例では、警告および警報は、ローカル動作パネル２０９にも提供される。すなわち、実施形態によれば、デジタル回路遮断器コントローラ４００は、警報および警報をローカル動作パネル２０９に信号伝達するように構成される。
【００３４】
変電所保護および制御システム１１０への異なるタイプの通信インターフェイス２０７が存在し得る。いくつかの局面では、変電所保護および制御システム１１０への通信インターフェイス２０７は、光学ＩＥＣ６１８５０インターフェイスである。デジタル回路遮断器コントローラ４００は、光学ＩＥＣ６１８５０インターフェイスからシステム電圧および電流値のようなデータを読み出すように構成され得る。そのようなデータは、デジタル回路遮断器コントローラ４００に信号伝達として提供され得る。さらに、デジタル回路遮断器コントローラ４００は、システム電圧および電流値のような、光学ＩＥＣ６１８５０インターフェイスからの入力を使用して、ポイントオブウェーブスイッチング（point of wave switching）を実行するように構成され得る。他の局面では、通信インターフェイス２０７は、ガルバニック信号が通信される銅ケーブルによって規定され得る。
【００３５】
ここで、図２を引き続き参照して、デジタル回路遮断器コントローラ４００のさらなる機能が開示される。
【００３６】
いくつかの局面によれば、デジタル回路遮断器コントローラ４００は、保護および制御システム１１０からトリップおよびクローズ信号を受け取り、インターロック制約をチェックし、かつ、動作機構２１１のトリップ／クローズコイルに電力を印加することによってトリップおよびクローズ動作を実行するようにさらに構成される。これにより、デジタル回路遮断器コントローラ４００は、構成されるインターロック機能のいずれかが動作を妨げているか否かをチェックし、妨げていなければ、回路遮断器２００を動作するようにトリップまたはクローズコイル２０１に電力を送るように有効化され得る。
【００３７】
いくつかの局面によれば、デジタル回路遮断器コントローラ４００は、回路遮断器２００および動作機構２１１について状態および潜在的なメンテナンスの必要性を決定するようにさらに構成される。監視機能の例は、リアルタイム圧力測定、温度補償および信号伝達、モータ電流および／またはチャージ時間に基づくモータ監督、（たとえば、トリップコイルの物理的完全性をチェックすることによる）トリップコイル２０１の監督、減衰機能、機能値（オープン時間、クローズ時間、コンタクト速度など）、および、コンタクト腐食評価を含むが、これらに限定されない。コンタクト腐食評価は、動作回数、通常のサービス電流、コンタクトタイミングといったパラメータを使用して実行され得、さらに、通信インターフェイス２０７を介して収集されたデータからの実際の遮断電流測定の使用により実行され得る。たとえば、回路遮断器およびその動作機構２１１のセンサからの信号およびデータは、回路遮断器２００および動作機構２１１について状態および潜在的なメンテナンスの必要性を決定するように、デジタル回路遮断器コントローラ４００のために収集され得る。たとえば、光学ＩＥＣ６１８５０インターフェイスから受け取られる電流および／または電圧情報もこの目的のために収集され得る。
【００３８】
例示的な例として、遮断極（breaking pole）においてガスの温度補償圧力をチェックするために、密度モニタが使用され得る。デジタル回路遮断器コントローラ４００は、密度計から信号を連続的に受け取るように構成され得る。圧力が低すぎると、回路遮断器の動作が許容されない可能性がある。カスタマイゼーションは、回路遮断器２００が、圧力が低すぎる条件下で自動的にトリップし、ブロックし、警告信号を送ることを可能にするように、デジタル回路遮断器コントローラ４００のプログラミングロジックの構成可能な設定によってなされ得る。
【００３９】
いくつかの局面によれば、デジタル回路遮断器コントローラ４００は、回路遮断器２００およびその動作機構２１１のセンサからの信号およびデータを収集するようにさらに構成される。いくつかの局面によれば、デジタル回路遮断器コントローラ４００は、収集された信号およびデータを変電所保護および制御システム１１０に（たとえば、通信インターフェイス２０７を介して信号伝達することにより）提供するようにさらに構成される。より詳細には、デジタル回路遮断器コントローラ４００は、センサからデータおよび状態を収集するように構成され得、当該データおよび状態は、回路遮断器の位置、ガス圧力、温度、動作回数、モータ電流、トリップコイルの完全性などのうちの少なくとも１つに関連する。
【００４０】
いくつかの局面によれば、デジタル回路遮断器コントローラ４００は、制御されたスイッチング機能としても知られるポイントオブウェーブスイッチング機能を有するように構成される、すなわち、単極動作用途のために異なる位相の動作の独立した時間同期を有し、各位相における正弦波電圧に対する各相の独立した動作を可能にする。
【００４１】
デジタル回路遮断器コントローラ４００は、多くのタイプの回路遮断器のために使用され得る。多くのタイプの回路遮断器の例としては、空気絶縁スイッチギア（ＡＩＳ: Air Insulated Switchgear）、ガス絶縁スイッチギア（ＧＩＳ: Gas Insulated switchgear）、ハイブリッドスイッチギア（ＡＩＳとＧＩＳとの組み合わせ）、ライブタンク回路遮断器（ＬＴＢ: Live Tank Circuit Breaker）、デッドタンク回路遮断器（ＤＴ: Dead Tank circuit breaker）が挙げられるが、これらに限定されない。さらに、デジタル回路遮断器コントローラ４００は、多くの電圧範囲について使用され得る。
【００４２】
いくつかの局面では、デジタル回路遮断器コントローラ４００は、制御システム３００の部分である。そのような制御システム３００は、本明細書に開示されるような少なくとも１つのデジタル回路遮断器コントローラ４００を含み得る。さらなる局面では、制御システム３００は、ケーブルハーネス２１２をさらに含む。さらに別の局面では、制御システム３００は、ローカル動作パネル２０９をさらに含む。
【００４３】
いくつかの局面では、少なくとも１つのデジタル回路遮断器コントローラ４００および回路遮断器２００が制御システム３００を形成する。そのような制御システム３００は、図３を参照して以下に開示されるように、さらなる構成要素を含み得る。
【００４４】
異なるタイプの回路遮断器２００が存在し得る。たとえば、いくつかの実施形態では、回路遮断器２００は高電圧回路遮断器２００である。高電圧は、ここでは、７２ｋＶを上回る電圧であり、好ましくは７２ｋＶと１２００ｋＶとの間の電圧として理解されるべきである。
【００４５】
図３は、実施形態に従った１つのベイ１４０を有する変電所のための制御システム３００の図である。図１と比較すると、図３では、ベイキュービクルにおけるＩＥＤは、本明細書に開示されるようなデジタル回路遮断器コントローラ４００によって置き換えられており、デジタル回路遮断器コントローラ４００は、したがって、回路遮断器２００の回路遮断器動作機構２１１と統合されている。
【００４６】
図４は、ある数の機能ユニットに関して、実施形態に従ったデジタル回路遮断器コントローラ４００の構成要素を概略的に示す。処理回路４１０は、たとえば（図５におけるように）記憶媒体４３０の形態にあるコンピュータプログラム製品５１０に格納されたソフトウェア命令を実行することが可能な、好適な中央処理装置（ＣＰＵ: central processing unit）、マルチプロセッサ、マイクロコントローラ、デジタル信号プロセッサ（ＤＳＰ: digital signal processor）などのうちの１つ以上の任意の組み合わせを使用して提供される。処理回路４１０はさらに、少なくとも１つの特定用途向け集積回路（ＡＳＩＣ: application specific integrated circuit）またはフィールドプログラマブルゲートアレイ（ＦＰＧＡ: field programmable gate array）として提供されてもよい。
【００４７】
特に、処理回路４１０は、デジタル回路遮断器コントローラ４００に、上で開示されるようなプログラミングロジックを実現させるように構成される。たとえば、記憶媒体４３０は、動作のセットを格納し得、処理回路４１０は、デジタル回路遮断器コントローラ４００に動作のセットを実行させるために、記憶媒体４３０から当該動作のセットを抽出するように構成され得る。動作のセットは、実行可能な命令のセットとして提供され得る。したがって、これにより、処理回路４１０は、プログラミングロジックの動作を実行するように構成される。記憶媒体４３０はさらに、たとえば、磁気メモリ、光学メモリ、ソリッドステートメモリ、または、リモートにマウントされるメモリのいずれか１つまたは組み合わせであり得る永続性ストレージを含み得る。
【００４８】
デジタル回路遮断器コントローラ４００は、通信インターフェイス４２０をさらに含み得る。したがって、通信インターフェイス４２０は、アナログおよびデジタル構成要素を含む１つ以上の送信機および受信機を含み得る。いくつかの局面では、通信インターフェイス４２０は、変電所保護および制御システム１１０への通信インターフェイス２０７を含み、随意に、ローカル動作パネル２０９への通信インターフェイス２１０を含む。
【００４９】
処理回路４１０は、たとえば、通信インターフェイス４２０および記憶媒体４３０にデータおよび制御信号を送ることと、通信インターフェイス４２０からデータおよび報告を受け取ることと、記憶媒体４３０からデータおよび命令を抽出することとによって、デジタル回路遮断器コントローラ４００の一般的な動作を制御する。デジタル回路遮断器コントローラ４００の他の構成要素および関連する機能は、本明細書において提示される概念を不明瞭にしないように省略されている。
【００５０】
図５は、コンピュータ読取可能記憶媒体５３０を含むコンピュータプログラム製品５１０の一例を示す。このコンピュータ読取可能記憶媒体５３０上には、コンピュータプログラム５２０が格納され得る。コンピュータプログラム５２０は、処理回路４１０と、通信インターフェイス４２０および記憶媒体４３０といった処理回路４１０に動作可能に結合されるエンティティおよびデバイスとに、本明細書に記載される実施形態に従ったプログラミングロジックの機能を実行させ得る。したがって、コンピュータプログラム５２０および／またはコンピュータプログラム製品５１０は、本明細書において開示されるデジタル回路遮断器コントローラ４００のプログラミングロジックの機能を実行するための手段を提供し得る。
【００５１】
図５の例では、コンピュータプログラム製品５１０は、ＣＤ（コンパクトディスク（compact disc））またはＤＶＤ（デジタル多用途ディスク（digital versatile disc））またはブルーレイ（登録商標）ディスクといった光学ディスクとして示されている。コンピュータプログラム製品５１０はさらに、ランダムアクセスメモリ（ＲＡＭ: random access memory）、リードオンリメモリ（ＲＯＭ: read-only memory）、消去可能プログラム可能リードオンリメモリ（ＥＰＲＯＭ: erasable programmable read-only memory）、または、電気的消去可能プログラム可能リードオンリメモリ（ＥＥＰＲＯＭ: electrically erasable programmable programmable read-only memory）といったメモリとして具現化され得、より特定的には、ＵＳＢ（Universal Serial Bus）メモリ、または、コンパクトフラッシュ（登録商標）メモリといったフラッシュメモリのような外部メモリにおけるデバイスの不揮発性記憶媒体として具現化され得る。したがって、コンピュータプログラム５２０は、ここでは、示される光学ディスク上のトラックとして概略的に示されているが、コンピュータプログラム５２０は、コンピュータプログラム製品５１０に好適な任意の態様で格納され得る。
【００５２】
いくつかの実施形態を参照して、主に発明の概念が上で記載された。しかしながら、当業者によって容易に理解されるように、上で開示された実施形態以外の他の実施形態が、添付の請求の範囲によって定義される発明の概念の範囲内で等しく可能である。
【図１】
2021528036.tif 000003
【図２】
2021528036.tif 000004
【図３】
2021528036.tif 000005
【図４】
2021528036.tif 000006
【図５】
2021528036.tif 000007
【国際調査報告】
2021528036.tif 000008
2021528036.tif 000009
2021528036.tif 000010